(57)【要約】      （修正有）【課題】抱っこひもなどを使用して子どもを抱っこしていても、両手が使用でき、かつ容易に荷物を取り出すことができるマザーズバッグを提供する。【解決手段】利用者の左右いずれかの肩に掛けられる肩ひも部１５０が、側壁部１２０または端面部１３０の上端部で対向する位置に渡って設けられ、あらかじめ利用者が装着したショルダーベルトに着脱自在に連結される連結部１５１が、肩ひも部１５０と利用者の肩とが接触する位置に固定される。【選択図】図１
0003225961.tif 000002
【実用新案登録請求の範囲】
【請求項１】
筒状に形成された側壁面と、前記側壁面の底部を閉口する底面部とを備える収容バッグにおいて、
前記側壁面の上端部で対向する位置に渡って設けられ、利用者の左右いずれかの肩に掛けられる肩ひも部と、
あらかじめ前記利用者が装着したショルダーベルトに着脱自在に連結され、前記肩ひも部と前記利用者の肩とが接触する位置に固定される連結具と、
を備えることを特徴とする収容バッグ。
【請求項２】
前記肩ひもは、
前記利用者の肩を覆う幅で幅広に形成された帯体であること、
を特徴とする請求項１記載の収容バッグ。
【請求項３】
前記帯体は、
前記底面部から連続して設けられること、
を特徴とする請求項２記載の収容バッグ。
【請求項４】
前記連結具は、
一端が前記帯体の一方の端部に固定され、他端が前記帯体の他方の端部に着脱自在に固定される留め具によって開閉自在な環状体であること、
を特徴とする請求項２記載の収容バッグ。
【請求項５】
前記ショルダーベルトは、
前記利用者が装着する抱っこひもであること、
を特徴とする請求項１記載の収容バッグ。
【請求項６】
前記側壁面内側に一端が固定された長ひもと、
前記長ひもの他端側に設けられ、所望の軸材に連結するための連結部材と、
を備えることを特徴とする請求項１記載の収容バッグ。
【請求項７】
前記長ひもは、
前記側壁面内側の対向する位置に設けられ、
それぞれの前記長ひもの他端側に前記連結部材が設けられること、
を特徴とする請求項６記載の収容バッグ。
【考案の詳細な説明】
【技術分野】
【０００１】
本考案は、収容バッグ、収容バッグの製造方法、および収容バッグとの連結方法に関し、特に筒状に形成された側壁面と、前記側壁面の底部を閉口する底面部とを備える収容バッグ、収容バッグの製造方法、および収容バッグとの連結方法に関する。
【背景技術】
【０００２】
小さな子どもを連れて外出する場合、多くの荷物を持って移動しなければならない。たとえば、複数枚のオムツ、オムツ替えシート、おしり拭き、ゴミ袋、予備の着替え、粉ミルク、調乳用のお湯、哺乳瓶、離乳食、スプーンやフォーク、エプロン、お手拭き、母子手帳、おくすり手帳、おもちゃ、絵本、タオルなど数え上げたら切りがない。
【０００３】
小さな子どもと外出すると、いつ何が起こるかわからないため、上記のような多くの用品を持ち歩く必要がある。上記の他にも財布や携帯電話など自分の荷物も持って移動しなければならない。
【０００４】
このような外出時に必要な荷物がたくさん入り、必要な荷物を取り出しやすいように、多くのポケットや仕切りで荷物を区分して収納可能なバッグが知られている。このようなバッグは一般にマザーズバッグと呼ばれている（たとえば、特許文献１、２参照）。
【０００５】
図７は、特許文献１で開示されたトートバッグの詳細を示す斜視図である。
図７に示すように、特許文献１では、異なる内張の交換可能なバッグ構造１０が開示されている。具体的にバッグ構造１０は、収納本体１１と、内張袋１２とから構成され、また収納本体１１には、使用者が便利に手で提げて持ち運ぶための少なくとも１つの手提げ部１３が設置されている。
【０００６】
収納本体１１には、開口１１Ａと、開口１１Ａの内側に連通する収納空間１１Ｂとが設けられている。また、内張袋１２には、開口部１２Ａの内側に連通する収容空間１２Ｂと開口部１２Ａが設けられている。バッグ構造１０は収納空間１１Ｂに内張袋１２が設置されることで、異なる内張の交換可能なトートバッグとなる。
【０００７】
収納本体１１の開口１１Ａ周辺箇所、および内張袋１２の開口部１２Ａ周辺箇所に、たとえばファスナー体、面ファスナー、固定リング、引締めひもまたはボタン体などの連接体１４が設置される。
【０００８】
この連接体１４により、収納本体１１に設けられた開口１１Ａが、内張袋１２に設けられた開口部１２Ａと連接したり、または分離したりするように構成される。これにより、異なる内張の交換可能なバッグ構造を得ることができる。
【０００９】
たとえば、複数の収容袋１２Ｂを内張袋１２に設置し、この複数の収容袋１２Ｂを備えた内張袋１２を収納空間１１Ｂに取り付けることで、異なる荷物を分類仕分けして収容することができるようになり、母親が外出する時に使用するマザーズバッグ等に適合するように変更させることができる。
【００１０】
図８は、特許文献２で開示されたマザーズバッグの詳細を示す斜視図である。
図８に示すように、特許文献２では、幼児に必要な品物を容易に取出せて使い勝手が良い多機能のマザーズバッグ２０が開示されている。具体的にマザーズバッグ２０は、背面部２１、前面部２２、両側面部２３、および底面部２４によって収容部２５を形成し、収容部２５の上部開口２５Ａに蓋部２６を有しており、マザーズバッグ２０の背面部２１の両側縁に背負いベルト２７を備えている。
【００１１】
またマザーズバッグ２０は、蓋部２６の基部中央に把手２８を形成するとともに、背負いベルト２７を上下に２分割してそれらを連結手段によって互いに脱着自在に連結し、かつ背面部２１の上部に背負いベルト２７の上半部２７Ａを収納するポケット２９を配設し、背面部２１の下部両側縁に背負いベルト２７の下半部２７Ｂを収納するポケット３０が配設されている。
【００１２】
この考案のマザーズバッグによれば、マザーズバッグを手提げバッグとして手に下げて持ち運ぶ際には、背負いベルト２７の上部と下部との結合を解除し、背負いベルト２７の上部と下部をマザーズバッグ２０に配設したそれぞれのポケット２９、３０に収納させることによって、背負いベルト２７をマザーズバッグ２０内に隠し、それによって外観をよくするとともに、背負いベルト２７の紛失を防止することができる。
【先行技術文献】
【特許文献】
【００１３】
【特許文献１】実用新案登録第３１９８１７０号公報
【特許文献２】特開２００２−３２７号公報
【考案の概要】
【考案が解決しようとする課題】
【００１４】
しかし、これらのマザーズバッグは、子どもを抱っこしたり、背負ったりしたままでは使いづらい点がある。
たとえば特許文献１で開示されたトートバッグの場合、通常は手提げ部１３を手で把持した状態で移動する。この場合、片手が常に塞がっている状態となり、たとえばバッグの中から探しものをする際は片手で行わなければならなくなり非常に手間である。
【００１５】
またトートバッグの他の利用方法として手提げ部１３に腕を通し、肩に手提げ部１３を掛けた状態で移動する方法が考えられる。この場合、上記の手提げ部１３を手で把持した状態と比較すると、肩に手提げ部１３を引っ掛けてあるだけなので、肩から手提げ部１３が滑り落ちやすい。動く子どもを抱っこした状態ではなおさら肩から手提げ部１３が落ちやすく、トートバッグが肩から滑り落ちた際には多くの荷物が散乱し非常事態になる。
【００１６】
特許文献２のマザーズバッグ２０では、背負バッグと手提げバッグとを切り替えて使用できるが、手提げバッグとして使用する際には、特許文献１で開示されたトートバッグと同様に片手が常に塞がった状態になる、または肩から滑り落ちるなどの問題が生じる。
【００１７】
一方で特許文献２のマザーズバッグ２０を背負バッグとして利用する際には、背負いベルト２７を両肩に掛けて使用するため、両手が塞がることがない。また両肩に背負いベルト２７を掛けるため滑り落ちることがない。
【００１８】
ところが、背負バッグの場合、荷物の収容部２５が背面にくるため、いざ荷物を取り出そうと思っても、いったん背負バッグを下ろしてから荷物を取り出さなくてはならない。または手を伸ばして背面の収容部２５から所望の荷物を取り出すことも考えられる。しかし、目の届かない背面にある収容部２５に収容された数多くの荷物の中から的確にすばやく所望の荷物を取り出すことは非常に困難である。
【００１９】
本考案はこのような点に鑑みてなされたものであり、抱っこひもなどを使用して子どもを抱っこしていても、両手が使用でき、かつ容易に荷物を取り出すことができる収容バッグを提供することを目的とする。
【課題を解決するための手段】
【００２０】
本考案では上記問題を解決するために、筒状に形成された側壁面と、前記側壁面の底部を閉口する底面部とを備える収容バッグにおいて、前記側壁面の上端部で対向する位置に渡って設けられ、利用者の左右いずれかの肩に掛けられる肩ひも部と、あらかじめ前記利用者が装着したショルダーベルトに着脱自在に連結され、前記肩ひも部と前記利用者の肩とが接触する位置に固定される連結具とを備えることを特徴とする収容バッグが提供される。
【００２１】
これにより、利用者の左右いずれかの肩に掛けられる肩ひも部が、側壁面の上端部で対向する位置に渡って設けられ、あらかじめ利用者が装着したショルダーベルトに着脱自在に連結される連結具が、肩ひも部と利用者の肩とが接触する位置に固定される。
【考案の効果】
【００２２】
本考案の収容バッグによれば、利用者の左右いずれかの肩に掛けられる肩ひも部が、側壁面の上端部で対向する位置に渡って設けられ、あらかじめ利用者が装着したショルダーベルトに着脱自在に連結される連結具が、肩ひも部と利用者の肩とが接触する位置に固定されるので、肩ひもが利用者のに装着されたショルダーベルトから外れることがなくなる。
【００２３】
このため、利用者は手を収容バッグから放しても肩から落ちることがなく、両手で収容物から荷物を取り出すことができる。また、肩ひもが固定されていない側壁面を広げて収容部の開口部を広げることができるため、収容部に収容した荷物が探しやすくなる。
【図面の簡単な説明】
【００２４】
【図１】本実施の形態に係るマザーズバッグ全体を示す斜視図である。
【図２】連結部の詳細を示す上面図である。
【図３】利用者が装着した抱っこひもにマザーズバッグを連結する様子を示す斜視図である。
【図４】利用者が装着した抱っこひもにマザーズバッグを連結した状態を示す斜視図である。
【図５】吊りひも部の詳細を示す正面図である。
【図６】吊りひも部をベビーカーに連結した状態を示す斜視図である。
【図７】特許文献１で開示されたトートバッグの詳細を示す斜視図である。
【図８】特許文献２で開示されたマザーズバッグの詳細を示す斜視図である。
【考案を実施するための形態】
【００２５】
以下、本考案の実施の形態を、図面を参照して詳細に説明する。
図１は、本実施の形態に係るマザーズバッグ全体を示す斜視図である。
図１に示すように、マザーズバッグ１００は、たとえば麻や綿などの天然素材による生地で形成されており、底面部１１０、一対の側面部１２０、一対の端面部１３０、一対の持ち手部１４０、肩ひも部１５０、および吊りひも部１６０を備えている。
【００２６】
さらに、マザーズバッグ１００を形成する生地は、麻や綿などの糸に撥水コーティングを施した糸で形成された撥水加工が施された生地を使用することで、撥水効果を備えることができる。
【００２７】
この他、マザーズバッグ１００を形成する生地としては、ナイロン繊維、ポリエステル繊維、アクリル繊維、ポリ塩化ビニール、ポリテトラフルオロエチレン繊維、レーヨン、ポリウレタン、ポリプロピレン繊維、合成皮革など様々な材質の生地で形成することもできる。
【００２８】
底面部１１０は、一対の長辺１１１、および一対の短辺１１２によって細長の矩形状に形成されている。
一対の側面部１２０は底面部１１０における一対の長辺１１１から起立し、一対の側面部１２０は互いに対向している。また一対の側面部１２０は下辺１２１、上辺１２２および左右の側辺１２３によって矩形状に形成されている。
【００２９】
一対の端面部１３０は底面部１１０における一対の短辺１１２から起立し、一対の端面部１３０は互いに対向している。また一対の端面部１３０は下辺１３１、上辺１３２および左右の側辺１３３によって矩形状に形成されている。
【００３０】
この底面部１１０、一対の側面部１２０、および一対の端面部１３０によって、一対の側面部１２０、および一対の端面部１３０の上端が開口され、内部に荷物を収容する収容部Ｓが形成される。
底面部１１０、一対の側面部１２０、および一対の端面部１３０の接合部は、生地を折り返して縫い込むなどの補強構造を施すことができる。
【００３１】
一対の持ち手部１４０は、一対の側面部１２０の上辺１２２中央にそれぞれ設けられている。また、一対の側面部１２０の上辺１２２から側面部１２０に沿って下辺１２１または底面部１１０まで延長して持ち手部１４０を連続して設けることができる。これにより、重い荷物を持ち手部１４０によって底面部１１０から支えることができるので、持ち手部１４０の接続部への負担が軽減される。
【００３２】
肩ひも部１５０は、一対の端面部１３０の上辺１３２に渡って設けられ、利用者の肩に掛けられる十分な長さで形成されている。また、一対の端面部１３０の上辺１２２から端面部１３０に沿って下辺１２１または底面部１１０まで延長して肩ひも部１５０を連続して設けることができる。これにより、重い荷物を持ち手部１４０によって底面部１１０から支えることができるので、持ち手部１４０の接続部への負担が軽減される。
【００３３】
また、肩ひも部１５０は左右いずれかの肩の幅（９ｃｍ前後）で形成することで、肩の幅でマザーズバッグ１００を掛けることができ、荷重を肩の幅で分散することができる。これにより、肩ひも部１５０が肩に食い込むなどの負荷を低減することができる。
【００３４】
なお肩ひも部１５０は、肩ひも部１５０の長さを自在に調節できるように、肩ひも部１５０の一部にコキカンと呼ばれる長さ調節具を介在させて、肩ひも部１５０全体の長さを調節可能にすることもできる。
【００３５】
肩ひも部１５０のＵ字に折り返した頂点部分には、つまり肩ひも部１５０と利用者の肩とが接触する位置に、抱っこひもと連結するための連結部１５１が設けられている。
連結部１５１は、たとえばタブ１５１Ａ、オス側留め具１５１Ｂ、およびメス側留め具１５１Ｃで構成される。
【００３６】
タブ１５１Ａは、利用者が装着している抱っこひものショルダー部分と利用者の肩との間に挟まれる肩ひも部１５０の幅と同じ長さで形成される帯状体である。タブ１５１Ａの一端側は肩ひも部１５０の幅方向の一端側に固定されており、タブ１５１Ａの他端側は収容部Ｓ側に折り返される。
【００３７】
タブ１５１Ａの他端側の折り返される側の端部には、たとえばスナップボタンやドットボタンなどの留め具のオス側であるオス側留め具１５１Ｂが固定されている。
タブ１５１Ａが固定された肩ひも部１５０の幅方向の一端側に対向する他端側の収容部Ｓ側の面には、オス側留め具１５１Ｂに対応した留め具のメス側であるメス側留め具１５１Ｃが固定されている。
【００３８】
タブ１５１Ａの一端側は肩ひも部１５０の幅方向の一端側に固定され、タブ１５１Ａの他端側がオス側留め具１５１Ｂおよびメス側留め具１５１Ｃによって肩ひも部１５０の他端側に着脱自在に固定される。
【００３９】
これにより、タブ１５１Ａと肩ひも部１５０とで開いた状態の環体と閉じた状態の環体とが自在に形成され、その環体に利用者が装着した抱っこひものショルダー部分に連結することができる。
【００４０】
連結部１５１は、この他、肩ひも部１５０のＵ字に折り返した頂点部分の収容部Ｓ側に設けられた留め具のオス側と、利用者が装着した抱っこひものショルダー部分の最頂部分上側に設けられた留め具のメス側とを互いに固定することで、利用者が装着した抱っこひもと肩ひも部１５０とを連結するようにしてもよい。
【００４１】
このように、肩ひも部１５０と利用者が装着した抱っこひものショルダー部分とを連結することで、肩ひも部１５０が利用者が装着した抱っこひものショルダー部分と一体になり、ショルダー部分が利用者の肩から外れない限り、肩ひも部１５０が利用者の肩から外れることがなくなる。
【００４２】
つまり両手をマザーズバッグ１００から放した状態でも、肩ひも部１５０は利用者の肩からずれ落ちることがなくなる。これにより利用者は両手を使ってマザーズバッグ１００の中から所望の荷物を取り出したり、子どもをあやしながら荷物を取り出すなどの所望の動作を行うことができる。
【００４３】
吊りひも部１６０は、それぞれの端面部１３０の内側上部に一方の端部が固定されたひも体である。吊りひも部１６０の他方の端部には、たとえばカラビナのような連結具１６１が固定されている。
【００４４】
吊りひも部１６０の長さは任意の長さで形成することができるが、一対の吊りひも部１６０の長さは同じ長さで形成される。
なお吊りひも部１６０は、吊りひも部１６０の長さを自在に調節できるように、吊りひも部１６０の一部にコキカンと呼ばれる長さ調節具を介在させて、吊りひも部１６０の全体の長さを調節可能にすることもできる。
【００４５】
連結具１６１は用途によって様々なものに連結することができる。たとえば、連結具１６１を介してベビーカーのハンドル部分に一対の吊りひも部１６０を連結することで、ベビーカーに重い荷物を連結して移動することができる。
【００４６】
また連結具１６１に鍵や携帯電話のストラップなどを連結することで、落下防止や紛失防止に役立てることができる。このとき、吊りひも部１６０の一方の端部がそれぞれの端面部１３０の内側に固定されているので、連結された鍵や携帯電話を外から目立つことなく収容部Ｓに収容することができる。
【００４７】
なお、本実施の形態では収容部Ｓを一対の側面部１２０および一対の端面部１３０で形成する例で説明したが、一対の側面部１２０および一対の端面部１３０は一連にして形成してもよく、たとえば筒状に形成した生地の一方の開口部を底面部１１０で閉口するようにして収容部Ｓを形成することもできる。このとき、肩ひも部１５０または吊りひも部１６０は、筒状に形成された収容部Ｓの側壁面のうち対向する位置に固定される。
【００４８】
図２は、連結部の詳細を示す上面図である。
図２に示すように、肩ひも部１５０の中央部分Ｃには、抱っこひもと連結するための連結部１５１が設けられており、連結部１５１は、タブ１５１Ａ、オス側留め具１５１Ｂ、およびメス側留め具１５１Ｃを備えている。
【００４９】
タブ１５１Ａは、縫いしろを除く長さが肩ひも部１５０の幅と同じ長さで形成される。また一端側に設けられる縫いしろは肩ひも部１５０の表地と裏地の間に挟み込むように縫い付けられて、肩ひも部１５０の幅方向の一端側に固定される。
【００５０】
またタブ１５１Ａは、生地を三つ折りにして帯状体を形成し、三つ折りされた帯状体の一端側が縫いしろとして肩ひも部１５０の幅方向の一端側に挟み込まれ、縫製により固定される。
【００５１】
三つ折りされた帯状体の他端側は、タブ１５１Ａの肩ひも部１５０側に折り返される方向にさらに折り返されて、たとえばスナップボタンやドットボタンなどの留め具のオス側であるオス側留め具１５１Ｂが固定される。
【００５２】
図３は、利用者が装着した抱っこひもにマザーズバッグを連結する様子を示す斜視図である。
図３に示すように、マザーズバッグ１００は図示しない利用者が装着した抱っこひも２００に連結される。
【００５３】
利用者は抱っこひも２００が備える一対のショルダーベルト２１０を両肩に引っ掛けた状態で抱っこひも２００を利用者の身体に固定し、子どもを保持する保持部２２０に子どもを包んで保持している。
【００５４】
マザーズバッグ１００を抱っこひも２００に連結させるには、まず利用者の身体に固定された抱っこひも２００のうち、一方のショルダーベルト２１０と利用者の身体との間に、タブ１５１Ａのオス側留め具１５１Ｂが固定された側をショルダーベルト２１０の幅方向の一方側から差し込こみ、ショルダーベルト２１０の幅方向の他方側からタブ１５１Ａのオス側留め具１５１Ｂが突出させる。
【００５５】
次に、ショルダーベルト２１０の幅方向の他方側から突出させたタブ１５１Ａのオス側留め具１５１Ｂを、肩ひも部１５０に設けられたメス側留め具１５１Ｃと結合させることで、タブ１５１Ａと肩ひも部１５０とで形成される環体に、ショルダーベルト２１０を連結させることができる。
【００５６】
図４は、利用者が装着した抱っこひもにマザーズバッグを連結した状態を示す斜視図である。
図４に示すように、抱っこひも２００は、一対のショルダーベルト２１０によって図示しない利用者に固定されており、利用者に固定された抱っこひも２００に、マザーズバッグ１００のタブ１５１Ａと肩ひも部１５０とで形成される環体にショルダーベルト２１０が連結されている。
【００５７】
これにより、利用者の身体に固定された抱っこひも２００に、マザーズバッグ１００の肩ひも部１５０が連結されるので、マザーズバッグ１００が利用者の肩からずれ落ちることがなくなり、利用者は両手を自由に使うことができる。
【００５８】
また、肩ひも部１５０は一対の端面部１３０の上辺１３２に渡って設けられているため、利用者は肩ひも部１５０を肩に固定したまま、側面部１２０を互いに外側に大きく開くことができる。このため、両手を使ってマザーズバッグ１００を大きく開くことができ、収容部Ｓに収容した荷物を容易に取り出すことができる。
【００５９】
なお、本実施の形態ではマザーズバッグ１００を連結するものとして抱っこひも２００を例として挙げたが、この他にも利用者の身体に装着されて固定されるものであれば他のものにマザーズバッグを連結してもよい。
【００６０】
利用者の身体に装着されてマザーズバッグ１００が連結される例としては、抱っこひも２００の他に、おんぶひも、ベビースリング、リュックサック、背負カバンなどが挙げられ、ベルトなどの帯体を身体に巻きつけて固定するものであれば他のものにマザーズバッグを連結させてもよい。
【００６１】
図５は、吊りひも部の詳細を示す正面図である。
図５に示すように、吊りひも部１６０は、端面部１３０の内側上部に一方の端部が固定されたひも体である。また吊りひも部１６０の他方の端部には、たとえばカラビナのような連結具１６１が固定されている。
【００６２】
吊りひも部１６０の一方の端部を端面部１３０の内側上部に固定することで、利用者は吊りひも部１６０の固定部を容易に見つけることができる。これにより、吊りひも部１６０を手繰り寄せることで容易に連結具１６１に連結された鍵や携帯電話などの所有物を取り出すことができる。
【００６３】
図６は、吊りひも部をベビーカーに連結した状態を示す斜視図である。
図６に示すように、マザーズバッグ１００はたとえばベビーカーや乳母車などの押し車３００に固定することもできる。
【００６４】
図６の例では、押し車３００が備えるハンドル部３１０にマザーズバッグ１００が備える吊りひも部１６０が連結される。具体的には、吊りひも部１６０の先端に固定されたカラビナなどの連結具１６１を介して、マザーズバッグ１００に固定された吊りひも部１６０がハンドル部３１０に連結される。
【００６５】
一対の吊りひも部１６０は長さが等しく形成されているため、押し車３００のハンドル部３１０に吊るされたマザーズバッグ１００は傾くことなく収容部Ｓが安定する。これにより、多くの荷物を収容したマザーズバッグを押し車３００に連結して移動することができる。
【００６６】
また、各吊りひも部１６０は一対の端面部１３０の上辺１３２にそれぞれ設けられるため、利用者はマザーズバッグ１００を押し車３００に固定したまま、側面部１２０を互いに外側に大きく開くことができる。このため、両手を使ってマザーズバッグ１００を大きく開くことができ、収容部Ｓに収容した荷物を容易に取り出すことができる。
【００６７】
本実施の形態では、吊りひも部１６０を押し車３００が有するハンドル部３１０に連結する例で説明したが、この他にも、車の座席シートに備えられたヘッドレストのシャフトに取り付けたり、自転車の荷台、手すりなどに連結したりして固定することもできる。
【００６８】
また、上述の実施形態に関し、更に以下の付記を開示する。
（付記１）
筒状に形成された側壁面と、前記側壁面の底部を閉口する底面部とを備える収容バッグにおいて、
前記側壁面の上端部で対向する位置に渡って設けられ、利用者の左右いずれかの肩に掛けられる肩ひも部と、
あらかじめ前記利用者が装着したショルダーベルトに着脱自在に連結され、前記肩ひも部と前記利用者の肩とが接触する位置に固定される連結具と、
を備えることを特徴とする収容バッグ。
（付記２）
前記肩ひもは、
前記利用者の肩を覆う幅で幅広に形成された帯体であること、
を特徴とする付記１記載の収容バッグ。
（付記３）
前記帯体は、
前記底面部から連続して設けられること、
を特徴とする付記２記載の収容バッグ。
（付記４）
前記連結具は、
一端が前記帯体の一方の端部に固定され、他端が前記帯体の他方の端部に着脱自在に固定される留め具によって開閉自在な環状体であること、
を特徴とする付記２記載の収容バッグ。
（付記５）
前記ショルダーベルトは、
前記利用者が装着する抱っこひもであること、
を特徴とする付記１記載の収容バッグ。
（付記６）
前記側壁面内側に一端が固定された長ひもと、
前記長ひもの他端側に設けられ、所望の軸材に連結するための連結部材と、
を備えることを特徴とする付記１記載の収容バッグ。
（付記７）
前記長ひもは、
前記側壁面内側の対向する位置に設けられ、
それぞれの前記長ひもの他端側に前記連結部材が設けられること、
を特徴とする付記６記載の収容バッグ。
（付記８）
筒状に形成された側壁面と、前記側壁面の底部を閉口する底面部とを備える収容バッグの製造方法において、
利用者の左右いずれかの肩に掛けられる肩ひも部が、前記側壁面の上端部で対向する位置に渡って設けられる工程と、
あらかじめ前記利用者が装着したショルダーベルトに着脱自在に連結される連結具が、前記肩ひも部と前記利用者の肩とが接触する位置に固定される工程と、
を備えることを特徴とする収容バッグの製造方法。
（付記９）
あらかじめ前記利用者が装着したショルダーベルトと、筒状に形成された側壁面と前記側壁面の底部を閉口する底面部とを備える収容バッグとの連結方法において、
利用者の左右いずれかの肩に掛けられる肩ひも部が、前記側壁面の上端部で対向する位置に渡って設けられる工程と、
前記肩ひも部と前記利用者の肩とが接触する位置で、連結具が前記ショルダーベルトに着脱自在に連結される工程と、
を備えることを特徴とする連結方法。
【符号の説明】
【００６９】
１００  マザーズバッグ
１１０  底面部
１１１  長辺
１１２  短辺
１２０  側面部
１２１  下辺
１２２  上辺
１２３  側辺
１３０  端面部
１３１  下辺
１３２  上辺
１３３  側辺
１４０  持ち手部
１５０  肩ひも部
１５１  連結部
１５１Ａ  タブ
１５１Ｂ  オス側留め具
１５１Ｃ  メス側留め具
１６０  吊りひも部
１６１  連結具
２１０  ショルダーベルト
２２０  保持部
３００  車
３１０  ハンドル部
Ｃ  中央部分
Ｓ  収容部
【図１】
0003225961.tif 000003
【図２】
0003225961.tif 000004
【図３】
0003225961.tif 000005
【図４】
0003225961.tif 000006
【図５】
0003225961.tif 000007
【図６】
0003225961.tif 000008
【図７】
0003225961.tif 000009
【図８】
0003225961.tif 000010